(57)【要約】【課題】誤放電が抑制され、且つ消費電力の少ないプラズマディスプレイパネルを提供することを目的とする。【解決手段】第一電極６と、第一電極６を挟んで隣接して設けた第１の第二電極７および第２の第二電極８とにより構成した表示電極９を複数形成した前面基板２を有し、第１の第二電極７と第２の第二電極８との、少なくとも隔壁４と交差する部分の幅が、第一電極との間隔が広がるように細く構成する。これにより、維持放電は、第一電極６を中心とした第１の第二電極７および第２の第二電極８との間の放電となるため誤放電が抑制され、且つＰＤＰ１の浮遊容量を削減することができるので、無効電力の削減も可能となる。【選択図】  図１
2004171854.tif 000002
【特許請求の範囲】
【請求項１】
第一電極と、第一電極を挟んで隣接して設けた第１の第二電極および第２の第二電極により構成した表示電極を複数形成した前面基板を有するプラズマディスプレイパネルにおいて、第一電極および／または第１の第二電極および／または第２の第二電極の、少なくとも隔壁と交差する部分の面積を小さくしたことを特徴とするプラズマディスプレイパネル。
【請求項２】
第一電極および／または第１の第二電極および／または第２の第二電極の、少なくとも隔壁と交差する部分を中空とすることで、その部分の面積を小さくしたことを特徴とする請求項１に記載のプラズマディスプレイパネル。
【請求項３】
第一電極および／または第１の第二電極および／または第２の第二電極の、少なくとも隔壁と交差する部分の幅を細くすることで、その部分の面積を小さくしたことを特徴とする請求項１に記載のプラズマディスプレイパネル。
【請求項４】
第一電極および／または第１の第二電極および／または第２の第二電極の、少なくとも隔壁と交差する部分の幅を、第一電極と、第１の第二電極および／または第２の第二電極との間隔が広がるように細くしたことを特徴とする請求項３に記載のプラズマディスプレイパネル。
【請求項５】
第１の第二電極および／または第２の第二電極の、少なくとも隔壁と交差する部分の幅を、隣接する放電セルの第１または第２の第二電極との間隔が広がるように細くしたことを特徴とする請求項３に記載のプラズマディスプレイパネル。
【発明の詳細な説明】
【０００１】
【発明の属する技術分野】
本発明は、大画面で、薄型、軽量の画像表示装置として知られているプラズマディスプレイパネル（以下、ＰＤＰと記す）に関するものである。
【０００２】
【従来の技術】
近年、ＰＤＰは、視認性に優れた表示パネル（薄型表示デバイス）として注目されている。
【０００３】
このＰＤＰには大別して、駆動的にはＡＣ型とＤＣ型があり、放電形式では面放電型と対向放電型の２種類があるが、高精細化、大画面化および製造の簡便性から、現状では、ＡＣ型で面放電型のＰＤＰが主流を占めるようになってきている。そして面放電の安定性を得ることができるＰＤＰの構成として、図７に示すものがある（例えば非特許文献１参照）。
【０００４】
図７に示す構成のＰＤＰ１は、前面基板２と背面基板３とが隔壁４を挟んで放電空間５を形成するように対向配置し、前面基板２と背面基板３とは、周縁部を封着材（図示せず）にて気密封止したものである。そして放電空間５内にはＮｅとＸｅの混合ガスからなる放電ガスを所定の圧力および混合比で充填している。
【０００５】
前面基板２は、例えばガラスのような絶縁性があり、且つ透明な基板２ａ上に、走査電極７と維持電極８とにより構成した表示電極９を複数形成している。そして、走査電極７、維持電極８それぞれは、透明電極７ａ、８ａと、その上に形成したバス電極７ｂ、８ｂとにより構成されている。そして、表示電極９を覆うように、低融点ガラスからなる誘電体層１０が形成されている。また、放電空間５で発生する放電プラズマによる損傷から誘電体層１０を保護するように、誘電体層１０上に酸化マグネシウム（ＭｇＯ）からなる保護層１１が形成されている。
【０００６】
一方、背面基板３は、絶縁性の基板１２上に、金属材料からなるデータ電極１３を形成し、データ電極１３を覆って背面基板３上に誘電体層１０の構成材料と同様な低融点ガラスからなる誘電体層１４を形成し、次に、誘電体層１４上に、データ電極１３に平行でかつデータ電極１３の間の位置に、ガラスを主成分とした隔壁４を形成し、カラー表示のための３色（赤色、緑色および青色）の蛍光体層１５を誘電体層１４上および隔壁４の側面に形成したものである。
【０００７】
以上のような、所定の構成部材が形成された前面基板２および背面基板３を、表示電極９とデータ電極１３とが直交する状態で対向配置し、前面基板２と背面基板３の外周縁部を封着ガラス（図示せず）で気密封止し、放電空間５にＮｅとＸｅの混合ガスからなる放電ガスを所定の圧力および混合比で充填することでＰＤＰ１が作製される。
【０００８】
そして、表示電極９とデータ電極１３が交差する部分が放電セル１６として作用し、表示期間に表示電極９とデータ電極１３の間、および表示電極９の走査電極７と維持電極８との間に所定の電圧を印加することで、アドレス期間にデータの書き込みがなされた放電セル１６において、走査電極７と維持電極８との間を領域とする維持放電が発生し、この維持放電による紫外線で蛍光体層１５を励起し、可視光を発生させる。そして各色の放電セル１６の点灯、非点灯の組み合わせによって画像表示を行う。
【０００９】
【非特許文献１】
内池平樹、御子柴茂生共著、「プラズマディスプレイのすべて」（株）工業調査会出版、１９９７年５月１日、ｐ７９−ｐ８０
【００１０】
【発明が解決しようとする課題】
ＰＤＰ１に対しては高精細化への要求が高まっており、これに対応するためには放電セル１６の配列ピッチを狭くする必要がある。しかしそのような狭ピッチで放電セル１６が配列された場合、放電セル１６内の荷電粒子が隣接する放電セル１６内へも拡散してしまい、誤放電など、画像表示上の問題が発生する場合がある。また、高精細にすることにより、その駆動制御の高速化が必要となり、それに伴う消費電力の増加も問題となる。
【００１１】
本発明はこのような課題に鑑みてなされたものであり、誤放電を抑制することで良好な画像表示が可能で、且つ消費電力の少ないプラズマディスプレイパネルを提供することを目的とする。
【００１２】
【課題を解決するための手段】
上記目的を実現するために本発明のプラズマディスプレイパネルは、第一電極と、第一電極を挟んで隣接して設けた第１の第二電極および第２の第二電極により構成した表示電極を複数形成した前面基板を有するプラズマディスプレイパネルにおいて、第一電極および／または第１の第二電極および／または第２の第二電極の、少なくとも隔壁と交差する部分の面積を小さくしたことを特徴とするものである。
【００１３】
【発明の実施の形態】
すなわち、本発明の請求項１に記載の発明は、第一電極と、第一電極を挟んで隣接して設けた第１の第二電極および第２の第二電極により構成した表示電極を複数形成した前面基板を有するプラズマディスプレイパネルにおいて、第一電極および／または第１の第二電極および／または第２の第二電極の、少なくとも隔壁と交差する部分の面積を小さくしたことを特徴とするプラズマディスプレイパネルである。
【００１４】
また、請求項２に記載の発明は、請求項１に記載の発明において、第一電極および／または第１の第二電極および／または第２の第二電極の、少なくとも隔壁と交差する部分を中空とすることで、その部分の面積を小さくしたことを特徴とするものである。
【００１５】
また、請求項３に記載の発明は、請求項１に記載の発明において、第一電極および／または第１の第二電極および／または第２の第二電極の、少なくとも隔壁と交差する部分の幅を細くすることで、その部分の面積を小さくしたことを特徴とするものである。
【００１６】
また、請求項４に記載の発明は、請求項３に記載の発明において、第一電極および／または第１の第二電極および／または第２の第二電極の、少なくとも隔壁と交差する部分の幅を、第一電極と、第１の第二電極および／または第２の第二電極との間隔が広がるように細くしたことを特徴とするものである。
【００１７】
また、請求項５に記載の発明は、請求項３に記載の発明において、第１の第二電極および／または第２の第二電極の、少なくとも隔壁と交差する部分の幅を、隣接する放電セルの第１または第２の第二電極との間隔が広がるように細くしたことを特徴とするものである。
【００１８】
以下、本発明の一実施の形態について図１〜図６の図面を参照して説明する。なお、図１〜図６においては、図７に示した部分と同一部分については同一番号を付している。
【００１９】
図１は本発明の一実施の形態によるＰＤＰの要部を示す断面斜視図である。図７に示した従来のＰＤＰと異なる点は表示電極９の構成と形状である。
【００２０】
図１に示すように本発明の一実施の形態によるＰＤＰ１は、前面基板２と背面基板３とが隔壁４を挟んで放電空間５を形成するように対向配置し、前面基板２と背面基板３とは、周縁部を封着材（図示せず）にて気密封止した構成である。そして放電空間５内にはＮｅとＸｅの混合ガスからなる放電ガスを所定の圧力および混合比で充填している。
【００２１】
前面基板２は、例えばガラスのような絶縁性があり、且つ透明な基板２ａ上に第一電極６と、第一電極６を挟んで隣接して設けた第１の第二電極７および第２の第二電極８とにより構成した表示電極９を複数形成している。
【００２２】
ここで、第一電極６および第二電極７、８は、一方が走査電極として、他方が維持電極として動作するものであり、以降の説明においては、走査電極が第一電極６で、維持電極が第二電極７、８である構成を例とする。すなわち、以下では走査電極６、第１の維持電極７、第２の維持電極８とする。
【００２３】
走査電極６、第１の維持電極７、第２の維持電極８それぞれは、透明電極６ａ、７ａ、８ａと、その上に形成したバス電極６ｂ、７ｂ、８ｂとにより構成されている。透明電極６ａ、７ａ、８ａそれぞれはインジウムスズ酸化物（ＩＴＯ）または酸化スズ（ＳｎＯ２）等からなり、バス電極６ｂ、７ｂ、８ｂそれぞれは、銀（Ａｇ）厚膜（厚み２μｍ〜１０μｍ）、またはアルミニウム（Ａｌ）薄膜（厚み０．１μｍ〜１μｍ）、またはクロム／銅／クロム（Ｃｒ／Ｃｕ／Ｃｒ）積層薄膜（厚み０．１μｍ〜１μｍ）等からなる。
【００２４】
そして、表示電極９を覆うように、酸化鉛（ＰｂＯ）、酸化ビスマス（Ｂｉ２Ｏ３）または酸化燐（ＰＯ４）を主成分とする低融点ガラスからなる誘電体層１０（厚み４０μｍ）が形成されている。また、放電空間５で発生する放電プラズマによる損傷から誘電体層１０を保護するように、誘電体層１０上に酸化マグネシウム（ＭｇＯ）からなる保護層１１（厚み５００ｎｍ）が形成されている。
【００２５】
ここで、第１の維持電極７および／または第２の維持電極８の、少なくとも隔壁４と交差する部分の幅は、例えば凹部１７を形成することにより狭くなっており、このことにより第１の維持電極７および／または第２の維持電極８は、走査電極６との間隔が拡がり、且つ、その部分での面積が小さくなった構成となっている。
【００２６】
一方、背面基板３は、絶縁性の基板１２上に、Ａｇ厚膜（厚み２〜１０μｍ）、またはＡｌ薄膜（厚み０．１〜１μｍ）、またはＣｒ／Ｃｕ／Ｃｒ積層薄膜（厚み０．１〜１μｍ）からなるデータ電極１３を形成し、データ電極１３を覆って、背面基板３上に誘電体層１０の構成材料と同様な低融点ガラスからなる誘電体層１４（厚み５〜２０μｍ）を形成する。次に、誘電体層１４上に、データ電極１３に平行でかつデータ電極１３の間の位置に、ガラスを主成分とした隔壁４を形成し、カラー表示のための３色（赤色、緑色および青色）の蛍光体層１５を誘電体層１４上および隔壁４の側面に形成する。ここで、誘電体層１４は隔壁４および蛍光体層１５の密着性を改善するためのものであり、誘電体層１４がないとＰＤＰとして動作しないというものではない。
【００２７】
以上のような、所定の構成部材が形成された前面基板２および背面基板３を、表示電極９とデータ電極１３とが直交する状態で対向配置し、前面基板２と背面基板３の外周縁部を封着ガラスで気密封止する。すなわち、走査電極６および第１の維持電極７および第２の維持電極８と、データ電極１３および隔壁４とが直交するように、前面基板２と背面基板３を対向配置している。この２つの基板の間には放電空間５が形成され、放電空間５は隔壁４によって複数の空間に分割されている。放電空間５には、例えばＮｅ９５％−Ｘｅ５％の混合ガスからなる放電ガスが、６６．５ｋＰａ（５００Ｔｏｒｒ）の圧力で充填されており、表示電極９とデータ電極１３とが交差する部分が放電セル１６として作用する。
【００２８】
そして、表示電極９とデータ電極１３の間、および表示電極９の走査電極６および第１の維持電極７および第２の維持電極８との間に所定の電圧を印加することで、アドレス期間にデータの書き込みがなされた放電セル１６において、走査電極６を中心とした第１の維持電極７と第２の維持電極８との間を領域とする維持放電が発生し、この維持放電による紫外線で蛍光体層１５を励起し、可視光を発生させる。そして各色の放電セル１６の点灯、非点灯の組み合わせによって画像表示を行う。
【００２９】
以上述べたように、本実施の形態によれば、表示電極９は、走査電極６と、走査電極６を挟んで隣接して設けた第１の維持電極７および第２の維持電極８により構成されるものとなり、また維持放電は、走査電極６と第１の維持電極７との間の放電と、走査電極６と第２の維持電極８との間の放電とで構成されるものとなる。
【００３０】
そして、維持放電の領域が、走査電極６を中心とした維持電極７と８との間に制限されることにより、隣り合う放電セル１６を超えて電荷が移動、拡散することが抑制され、その結果、誤放電が発生しにくくなるものと考えられる。
【００３１】
ここで、上述の構成における隔壁４と、走査電極６および第１の維持電極７および第２の維持電極８と、データ電極１３とについての、形状と位置関係を詳細に説明する。
【００３２】
図２は本実施の形態によるＰＤＰの、隔壁４と、走査電極６、第１の維持電極７および第２の維持電極８と、データ電極１３との形状と位置関係を示す概略平面図である。一点鎖線で囲まれた領域は放電セル１６の領域を示すものである。
【００３３】
図２に示すように、表示電極９を構成する第１の維持電極７および第２の維持電極８と走査電極６において、第１の維持電極７および第２の維持電極８の走査電極６に対向する側で、かつ隔壁４と交差する位置に、対向する間隔が拡がるように、矩形状の凹部１７を形成している。すなわち、第１の維持電極７および第２の維持電極８の、少なくとも隔壁４と交差する部分の幅が、凹部１７によって細くなっており、その結果、その部分での面積が小さくなっているとともに、走査電極６との間隔が拡がったものとなっている。
【００３４】
ここで、ＰＤＰ１には、第１の維持電極７および第２の維持電極８と走査電極６との間の浮遊容量である第一の浮遊容量と、走査電極６と第１の維持電極７と第２の維持電極８とからなる表示電極９とデータ電極１３との間の浮遊容量である第二の浮遊容量との大別して２つの浮遊容量が存在する。この浮遊容量の存在により、ＰＤＰを駆動する際にはこの浮遊容量を充電するための電流が流れる。この電流は画像表示には直接寄与しないため、無効な電流であり、この充電のために消費される電力は無効電力となる。無効電力が増えると、パネルの消費電力がその分だけ大きくなるだけでなく、パネルを駆動するＩＣ回路に電力損失が発生するため、ＩＣ回路が発熱し、ＩＣ回路の動作が不安定になるという問題が発生する場合もある。
【００３５】
そこで、無効電力を下げるためには、第一の浮遊容量および／または第二の浮遊容量を減少させれば良いことになる。そして、第一の浮遊容量は、第１の維持電極７および第２の維持電極８と走査電極６との距離を拡げることにより減少させることが可能であり、また、第二の浮遊容量は、表示電極９の面積に依存するため、表示電極９、すなわち、走査電極６および／または第１の維持電極７および／または第２の維持電極８の電極面積を小さくすることで、減少させることが可能である。特に、データ電極１３と表示電極９とに挟まれる隔壁４の誘電率は、放電空間の誘電率に比べて１桁程度高いため、放電が起こらないときには、隔壁４には放電空間５に比べて大きな静電エネルギーが生じることとなるため、隔壁４と交差する部分の表示電極９、すなわち、走査電極６および／または第１の維持電極７および／または第２の維持電極８の面積を小さくすることは、浮遊容量の低減効果として効果の高いものとなる。
【００３６】
ここで、本実施の形態では、第１の維持電極７および第２の維持電極８の走査電極６に対向する側で、かつ隔壁４と交差する位置に、対向する間隔が拡がるように、矩形状の凹部１７を形成しており、且つ、この凹部１７により、第１の維持電極７および第２の維持電極８の、少なくとも隔壁４と交差する部分の面積が凹部１７によって小さくなった構成であるので、第一の浮遊容量と第二の浮遊容量とを削減することができ、無効電力の削減が可能となる。その結果、消費電力の削減が可能である。
【００３７】
また、本実施の形態の場合、第一の浮遊容量と第二の浮遊容量を下げるために行う走査電極６および／または第１の維持電極７および／または第２の維持電極８の幅、面積に対する変化が、発光輝度に直結する放電容量に影響を与える放電セル１６中央付近ではなく、放電セル１６の周辺部の、隔壁４と交差する部分を中心とした領域であることから、発光輝度を大きく低下させることなく無効電力を削減、すなわち、消費電力の削減が可能である。
【００３８】
以上述べたような、維持放電での誤放電を抑制し、且つ第一の浮遊容量および第二の浮遊容量を削減することが可能な構成としては、表示電極９が、走査電極６と、走査電極を挟んで隣接して設けた第１の維持電極７および第２の維持電極８による構成において、第１の維持電極７および第２の維持電極８と走査電極６との間隔を拡げること、表示電極９、すなわち、走査電極６および／または第１の維持電極７および／または第２の維持電極８の電極面積を小さくすることで可能であるので、図２に示す構成以外にも、図３（ａ）〜（ｆ）に示す構成においても可能となる。ここで、図３（ｄ）に示す構成のみ、第１の維持電極７および／または第２の維持電極８と走査電極６との間隔は変わらないので、無効電力削減は第二の浮遊容量の削減による効果のみとなる。
【００３９】
以上の図２および図３では、第１の維持電極７および第２の維持電極８と走査電極６との間隔を拡げた構成を示したが、第１の維持電極７または第２の維持電極８のいずれか一方と走査電極６との間隔のみを拡げた構成であっても、誤放電抑制効果および無効電力削減の効果を得ることができる。
【００４０】
また、第一および第二の浮遊容量の削減効果は、凹部１７の幅または深さを大きくすることにより増加するが、大きくしすぎると、発光輝度の低下によりＰＤＰ１の表示特性が悪くなる場合があるため、最適な大きさを選択することが必要である。
【００４１】
また、ＰＤＰ１の構成として、隔壁４の幅が広い場合ほど、浮遊容量削減に対する本実施の形態の効果はより効果的となる。
【００４２】
また、上述の説明では、凹部１７が矩形状の場合を例としたが、凹部１７の形状を半円形状や楕円形状等、他の形状にしてもよい。図４（ａ）〜（ｄ）にその一例を示す。
【００４３】
また、上記実施の形態では所定の幅を有した線状の隔壁４の場合について説明したが、このような隔壁４の形状の場合に限らず、例えば放電セル１６の四方を囲むように形成された隔壁の場合であっても本発明を実施することで同様の効果を得ることができる。
【００４４】
また、図５（ａ）、（ｂ）は、走査電極６および／または第１の維持電極７および／または第２の維持電極８の、少なくとも隔壁４と交差する部分に中空１８を形成することで、少なくとも隔壁４と交差する部分での走査電極６および／または第１の維持電極７および／または第２の維持電極８の面積を小さくした構成であり、誤放電の抑制と、第二の浮遊容量を削減することによる無効電力の削減とを可能とするものである。
【００４５】
また、走査電極６および／または第１の維持電極７および／または第２の維持電極８の、少なくとも隔壁４と交差する部分の幅を、凹部１７を形成することにより狭くし、且つ、走査電極６および／または第１の維持電極７および／または第２の維持電極８の、少なくとも隔壁４と交差する部分に中空１８を形成した構成によっても、誤放電の抑制と、第一の浮遊容量と第二の浮遊容量とを削減することによる無効電力の削減とが可能である。
【００４６】
以上の説明においては、走査電極６、第１の維持電極７、第２の維持電極８の構成としては、透明電極６ａ、７ａ、８ａとバス電極６ｂ、７ｂ、８ｂとからなる構成を示したが、特にこれに限るものではなく、どちらか一方のみで構成されている場合や、電極毎に構成が異なる場合であっても本発明の効果は同様に得ることが可能である。
【００４７】
また、以上の説明においては、表示電極９の構成として、走査電極６と、走査電極６を挟んで隣接して設けた第１の維持電極７と第２の維持電極８とからなる構成としたが、前に述べたように、特にこの構成に限るものではなく、表示電極９が、第一電極６と、第一電極６を挟んで隣接して設けた第１の第二電極７と第２の第二電極８とからなり、維持電極が第一電極６で、走査電極が第二電極７、８である構成、すなわち、維持電極６、第１の走査電極７、第２の走査電極８であっても本発明の、誤放電の抑制効果と、浮遊容量削減による無効電力の削減との効果を同様に得ることができる。
【００４８】
なお、維持電極６を挟んで近接して第１の走査電極７と第２の走査電極８を設けた構成の表示電極９（以降、Ａ構成と記す）の方が、走査電極６を挟んで第１の維持電極７と第２の維持電極８を近接して設けた構成の表示電極９（以降、Ｂ構成と記す）より、アドレス放電時の安定性が得られ、その結果、アドレス放電に続く維持放電においても誤放電の発生が抑制されるため、誤放電防止効果をさらに高めることができる。Ａ構成は、ＰＤＰ１に高精細が求められる場合などに有効である。
【００４９】
Ａ構成により、アドレス放電時の安定性が得られ、誤放電防止効果がさらに高まる理由を、図６を用いて説明する。図６には、放電セル１６と、隣り合う放電セル１６’とを示す。放電セル１６での表示電極９は、第一電極６と、それを挟んで近接して設けた第１の第二電極７と第２の第二電極８とにより構成される。また、放電セル１６’での表示電極９’は、第一電極６’と、それを挟んで近接して設けた第１の第二電極７’と第２の第二電極８’とにより構成される。そして、Ａ構成では第一電極６および６’が維持電極、第１の第二電極７および７’が第１の走査電極、そして第２の第二電極８および８’が第２の走査電極である。また、Ｂ構成では、第一電極６および６’が走査電極、第１の第二電極７および７’が第１の維持電極、そして第２の第二電極８および８’が第２の維持電極である。
【００５０】
以上の構成において、Ｂ構成の場合、所定の放電セル１６においてアドレス放電を発生させる場合、まず所定の放電セル１６の走査電極６とデータ電極１３との間でアドレス放電が発生し、走査電極６と、第１の維持電極７および第２の維持電極８との間に電位差があることにより、その放電が第１の維持電極７および第２の維持電極の方へ伸展し、走査電極６と、第１の維持電極７および第２の維持電極８との間にも放電が発生する。この時、第２の維持電極８と、隣の放電セル１６’の第１の維持電極７’とは同電位となっているので、ＰＤＰが例えば高精細で行間が狭い場合、走査電極６から第２の維持電極８の方へ伸展してきた放電は、隣の放電セル１６’の第１の維持電極７’の方にまで広がるため、アドレス放電が隣の放電セル１６’のアドレス状態を誤って変えてしまう、すなわち、誤放電になってしまう場合がある。
【００５１】
これに対し、Ａ構成の場合、行間、すなわち放電セル１６と１６’との間では、第２の走査電極８と第１の走査電極７’とが隣り合う構成となるため、アドレス放電が発生した場合、第１の走査電極７および第２の走査電極８と、データ電極１３との間で発生した放電は、放電セル１６の中央部に配置された維持電極６の方へ伸展することになるので、Ｂ構成の場合のようなアドレス放電時の誤放電の発生は抑制され、引き続き行われる維持放電においても、誤放電が抑制されることとなる。
【００５２】
【発明の効果】
以上のように、本発明によれば、誤放電の抑制により良好な画像表示が可能で、且つ無効電力の削減により消費電力の少ないプラズマディスプレイパネルを提供することができる。
【図面の簡単な説明】
【図１】本発明の一実施の形態によるプラズマディスプレイパネルの要部を示す断面斜視図
【図２】本発明の一実施の形態によるプラズマディスプレイパネルの表示電極などの形状と位置関係を示す概略平面図
【図３】本発明の他の実施の形態によるプラズマディスプレイパネルの表示電極などの形状と位置関係を示す概略平面図
【図４】同じく、本発明の他の実施の形態によるプラズマディスプレイパネルの表示電極などの形状と位置関係を示す概略平面図
【図５】同じく、本発明の他の実施の形態によるプラズマディスプレイパネルの表示電極などの形状と位置関係を示す概略平面図
【図６】本発明の一実施の形態によるプラズマディスプレイパネルの、誤放電防止効果を説明をするための概略平面図
【図７】従来のプラズマディスプレイパネルの要部を示す断面斜視図
【符号の説明】
１  プラズマディスプレイパネル
２  前面基板
４  隔壁
６  第一電極（走査電極または維持電極）
７  第１の第二電極（第１の維持電極または第１の走査電極）
８  第２の第二電極（第２の維持電極または第２の走査電極）
９  表示電極
【図１】
2004171854.tif 000003
【図２】
2004171854.tif 000004
【図３】
2004171854.tif 000005
【図４】
2004171854.tif 000006
【図５】
2004171854.tif 000007
【図６】
2004171854.tif 000008
【図７】
2004171854.tif 000009